(57)【特許請求の範囲】
【請求項１】
複数の可動部と該可動部を支持する支持部材とを備え、前記可動部は、胴部と、該胴部の一端に設けられ、側方にせり出すよう形成された頭部と、前記胴部の他端に設けられ、側方にせり出すよう形成された係止部と、を備え、前記支持部材は、前記可動部の前記胴部を該可動部が前記胴部の延伸する方向に動くよう支持する、ことを特徴とするカーペット掃除具。
【請求項２】
請求項１に記載のカーペット掃除具において、
前記支持部材は、前記胴部の長さよりも短い厚みを有するとともに、複数の開口が形成された板状に形成され、前記可動部の胴部が前記開口に挿通される、ことを特徴とするカーペット掃除具。
【請求項３】
請求項２に記載のカーペット掃除具において、
板状に形成された連結部をさらに含み、前記複数の可動部に備えられる前記係止部は該連結部により互いに連結される、ことを特徴とするカーペット掃除具。
【請求項４】
請求項１乃至３のいずれかに記載のカーペット掃除具において、
前記可動部に備えられる前記頭部には、該頭部の縁部と前記支持部材との間隙を所定間隔に維持するためのスペーサ部が形成される、ことを特徴とするカーペット掃除具。
【請求項５】
請求項２又は３に記載のカーペット掃除具において、
前記支持部材には、前記開口の周縁に、前記可動部に備えられる前記頭部の縁部と前記支持部材との間隙を所定間隔に維持するためのスペーサ部が形成される、ことを特徴とするカーペット掃除具。
【発明の詳細な説明】
【０００１】
【発明が属する技術分野】
本発明はカーペット掃除具に関し、例えば人間の頭髪、ペットの毛、糸くず等を簡単且つ確実にカーペットから除去するカーペット掃除具に関する。
【０００２】
【従来の技術】
近年、オフィスには様々なＯＡ機器が設置されるようになっているが、これらＯＡ機器の多くは熱を嫌う。ところが、オフィスの床には頭髪、糸くず、埃が多数落ちており、これらがＯＡ機器に付着するとＯＡ機器が熱を持ち、その動作が不安定となってしまう。このため、オフィスの床掃除はＯＡ機器の動作安定のために重要なものとなっている。
【０００３】
【発明が解決しようとする課題】
カーペット掃除具としては、吸引式の電気掃除機が一般的であるが、従来の電気掃除機ではカーペットに絡まった頭髪、糸くず等を吸引除去することは困難である。これに対し、特開２０００−２２５０８４号公報に開示されたクリーナーでは、鉤状突起部を多数備えた掻き取り部材で頭髪等をカーペットから掻き取るようにしており、これにより頭髪等を確実に除去するようにしている。
【０００４】
しかしながら、上記公報に係るクリーナーには、カーペットから頭髪等を除去した後、掻き取り部材に付着した毛髪等を別の粘着テープで吸着し、又は水で洗浄除去しなければならないという煩わしさがある。
【０００５】
本発明は上記課題に鑑みてなされたものであって、その目的は、カーペットから頭髪等を簡単に除去することができ、さらに使用後は頭髪等を掃除具から容易に離脱させることができるカーペット掃除具を提供することにある。
【０００６】
【課題を解決するための手段】
上記課題を解決するために、本発明に係るカーペット掃除具は、複数の可動部と該可動部を支持する支持部材とを備え、前記可動部は、胴部と、該胴部の一端に設けられ、側方にせり出すよう形成された頭部と、前記胴部の他端に設けられ、側方にせり出すよう形成された係止部と、を備え、前記支持部材は、前記可動部の前記胴部を該可動部が前記胴部の延伸する方向に動くよう支持する、ことを特徴とする。
【０００７】
本発明によれば、可動部の胴部が支持部材により支持される。そして、可動部が胴部の延伸する方向に動くようになっている。また、可動部の一端には側方にせり出すよう形成された頭部が設けられている。このため、該頭部でカーペットから髪の毛、ペットの毛、糸くず等を掻き取ることができる。また、髪の毛等を掻き取った後、可動部を移動させて頭部から髪の毛等を容易に離脱させることができる。
【０００８】
また、本発明の一態様では、前記支持部材は、前記胴部の長さよりも短い厚みを有するとともに、複数の開口が形成された板状に形成され、前記可動部の胴部が前記開口に挿通される。こうすれば、カーペット面に対して複数の可動部の頭部を容易に摺接させることができ、複数の可動部によりカーペットから効率よく髪の毛等を除去することができる。
【０００９】
また、本発明の一態様では、板状に形成された連結部をさらに含み、前記複数の可動部に備えられる前記係止部は該連結部により互いに連結される。こうすれば、該連結部を支持部材に押しつけることにより、可動部の頭部と支持部材の間隙を広げることができる。これにより髪の毛等を可動部の頭部から除去し易くできる。
【００１０】
また、本発明の一態様では、前記可動部に備えられる前記頭部には、該頭部の縁部と前記支持部材との間隙を所定間隔に維持するためのスペーサ部が形成される。こうすれば、可動部の頭部と支持部材との間隙に髪の毛等を十分に取り込むことができる。
【００１１】
また、本発明の一態様では、前記支持部材には、前記開口の周縁に、前記可動部に備えられる前記頭部の縁部と前記支持部材との間隙を所定間隔に維持するためのスペーサ部が形成される。こうしても、可動部の頭部と支持部材との間隙に髪の毛等を十分に取り込むことができる。
【００１２】
【発明の実施の形態】
以下、本発明の実施形態について図面に基づき詳細に説明する。
【００１３】
実施形態１．
図１は、本発明の実施形態に係るカーペット掃除具を示す斜視図である。同図に示すように、このカーペット掃除具１０は、板状に形成された本体１８（支持部材）を有しており、該本体の表面中央には取付部１６が形成されている。そして、該取付部１６に把手１４を他端に備えた柄１２の一端が取り付けられている。
【００１４】
本体１８には多数の開口が設けられており、各開口には頭部２２が本体１８の裏面側に位置するようにして例えばアルミ等の材質で形成された可動リベット２０（可動部）が挿通されている。本体１８は、可動リベット２０の胴部の長さよりも短い厚みに形成されており、且つ各開口は可動リベット２０の胴部の径よりも若干広めに形成されている。このため、各可動リベット２０は、本体１８に対して、胴部の延伸する方向、すなわち本体１８の表面方向又は裏面方向に動くようになっている。
【００１５】
図２は、可動リベット２０の取付部位を拡大して示す断面図である。また、図３は、本体１８に取り付ける前の可動リベット２０の状態を示す斜視図である。図２に示すように、可動リベット２０は円筒状の胴部２６を備えており、その一端に頭部２２が形成されており、他端に係止部２４が形成されている。頭部２２は、胴部２６の一端にて側方にせり出すよう形成されており、該頭部２２の径は胴部２６の径よりも大きくなっている。また、頭部２２の表面は、カーペット面で滑らかに摺動するよう丸みを帯びて形成されている。図３に示すように、可動リベット２０は、本体１８に取り付ける前、胴部２６の一端に頭部２２が形成されているのみであり、他端には係止部２４が形成されていない。可動リベット２０は、該他端から本体１８に形成されている開口２８に挿通され、その後、該他端に係止部２４が加工される。係止部２４は、本体１８から可動リベット２０が脱落するのを防止するための部分であり、胴部２６の径よりも大きな径を有している。
【００１６】
また、胴部２６の長さが本体１８の厚みよりも長くなるよう形成される。このため、係止部２４が本体１８の表面に当接した状態では、頭部２２と本体１８の裏面との間隙が大きく開いた状態（非使用状態）となる。逆に、頭部２２と本体１８の裏面とが当接した状態では、係止部２４と本体１８の表面との間隙が大きく開いた状態（使用状態）となる。
【００１７】
本カーペット掃除具１０では、これらの状態を相互に行き来するよう、各可動リベット２０が本体１８に対して動くようになっている。なお、可動リベット２０の胴部２６の径と本体１８の開口２８の径とを略同一として、各可動リベット２０が本体１８に対して容易に動かないようにしてもよいし、可動リベット２０の胴部２６の径を本体１８の開口２８の径よりもやや小さくして、各稼働リベット２０が本体１８に対して容易に動くようにしてもよい。
【００１８】
本カーペット掃除具１０を使用する場合、まず把手１４を手にとり、板状の本体１８をカーペット面に押しつける。これにより、各可動リベット２０の頭部２２はカーペット表面に埋没した状態となる。この状態で、本体１８をカーペット面に摺動させることにより、各可動リベット２０の頭部２２と本体１８の裏面との間に僅かに存する隙間に髪の毛、ペットの毛、糸くず等が入り込むことになる。各可動リベット２０の頭部２２と本体１８の裏面との隙間は上述のように狭いので、ここに髪の毛等が保持されることになる。こうして、カーペットに絡みついた髪の毛等を可動リベット２０の頭部２２により掻き取ることができる。
【００１９】
また、使用後は、本体１８をカーペット面から離し、各可動リベット２０の頭部２２を本体１８の裏面から引き出した状態とすることにより、各可動リベット２０の頭部２２と本体１８の裏面との間に入り込んだ髪の毛等を離脱させる。
【００２０】
以上のようにして、本カーペット掃除具１０によれば、カーペットに絡みついた髪の毛等を容易に除去することができるとともに、使用後は、カーペット掃除具１０から髪の毛等を容易に離脱させることができる。
【００２１】
実施形態２．
実施形態１では、可動リベット２０の頭部２２の裏面が胴部２６から垂直にせり出すようにしたが、図４に示す可動リベット２０ａのように、頭部２２ａの裏面をテーパー状に形成してもよい。すなわち、実施形態２に係るカーペット掃除具に用いられる可動リベット２０ａでは、頭部２２ａの裏面に、スペーサ部の一種であるテーパー部３０が形成されており、胴部２６ａの端面が頭部２２ａの周縁を含む面からずれている。このため、該可動リベット２０ａを本体１８の開口に装着し、頭部２２ａを本体１８の裏面に押しつけた場合には、図５に示すように、頭部２２ａの周縁が本体１８の裏面から離れることになる。そして、頭部２２ａと本体１８の裏面との間隙は、奥、すなわち胴部２６ａに近づくにつれて狭まるようになる。こうして、この実施形態では、頭部２２ａの裏面周縁と本体１８の裏面との間隙を所定間隔に維持するようにしている。このため、本体１８をカーペット面に押しつけ、頭部２２ａをカーペットに埋没させたとき、効率よく髪の毛等を間隙に取り込むことができるようになる。なお、実施形態２に係るカーペット掃除具は、実施形態１に係るカーペット掃除具１０において可動リベット２０を可動リベット２０ａに取り替えたものである。
【００２２】
実施形態３．
図６は、実施形態３に係るカーペット掃除具に用いられる可動リベットを示す側面図である。実施形態３に係るカーペット掃除具は、実施形態１に係るカーペット掃除具１０において、可動リベット２０を同図に示す可動リベット２０ｂに取り替えたものである。
【００２３】
可動リベット２０ｂでは、頭部２２ｂの裏面に円環状のスペーサ部３２が形成されている。スペーサ部３２は、胴部２６ｂの径よりも大きく頭部２２ｂの径よりも小さい外径を有する円環状に形成されており、該スペーサ部３２が形成された可動リベット２０ｂを本体１８の開口に装着すると、図７に示すように、頭部２２ｂを本体１８側に押しつけたとき、スペーサ部３２が本体１８に形成された開口２８の周縁に当接する。このため、頭部２２ｂの裏面周縁と本体１８の裏面との間隙を所定間隔に維持することができる。この実施形態によれば、本体１８をカーペット面に押しつけ、頭部２２ｂをカーペットに埋没させたとき、効率よく髪の毛等を間隙に取り込むことができるようになる。
【００２４】
実施形態４．
図８は、実施形態４に係るカーペット掃除具に用いられる本体の断面を、開口を中心として示す図である。実施形態４に係るカーペット掃除具は、実施形態１に係るカーペット掃除具１０において、本体１８を同図に示す本体１８ａに取り替えたものである。
【００２５】
同図に示すように、本体１８ａは板状に形成されており、多数の開口２８ａが設けられている。そして、各開口２８ａには裏面側の周縁にスペーサ部３４が形成されている。すなわち、スペーサ部３４は、本体１８ａの裏面にて、各開口２８ａの周縁に凸設された円環状の部分であり、図９に示すように、該スペーサ部３４が形成された本体１８ａの開口２８ａに可動リベット２０を装着し、頭部２２を本体１８ａ側に押しつけると、頭部２２の裏面のうち、胴部２６に近い部分がスペーサ部３４に当接する。このため、頭部２２の裏面周縁と本体１８ａの裏面との間隙を所定間隔に維持することができる。この実施形態によれば、本体１８ａをカーペット面に押しつけ、頭部２２をカーペットに埋没させたとき、効率よく髪の毛等を間隙に取り込むことができるようになる。
【００２６】
実施形態５．
図１０は、実施形態５に係るカーペット掃除具の可動リベット取付部分を拡大して示す断面図である。実施形態５に係るカーペット掃除具は、実施形態１に係るカーペット掃除具１０において、本体１８を同図に示す本体１８ｂに取り替えたものである。
【００２７】
同図に示すように、本体１８ｂの裏面は無数の微小な凹凸が形成されている。このため、本体１８ｂの裏面はざらざらとした触感が得られるものとなっている。同図に示す本体１８ｂの開口に可動リベット２０を装着し、該本体１８ｂをカーペット面に押しつけ、頭部２２をカーペットに埋没させた場合、上記した微小な凹凸に起因して、頭部２２の裏面と本体１８ｂの裏面とが完全に密着することが無くなる。このため、頭部２２の裏面と本体１８ｂの裏面との隙間に髪の毛等が入りやすくなる。こうして、この実施形態によれば、効率よく髪の毛等をカーペットから除去することができる。
【００２８】
実施形態６．
図１１は、実施形態６に係るカーペット掃除具の可動リベット取付部分を拡大して示す断面図である。実施形態６に係るカーペット掃除具は、実施形態１に係るカーペット掃除具１０において、可動リベット２０を、連結部３６を備える可動リベット２０ｃに取り替えたものである。
【００２９】
連結部３６は、本体１８と略同一の大きさ（広さ）を有する板状に形成されており、本体１８に形成された各開口２８に対応する位置に可動リベット２０ｃが立設されている。すなわち、可動リベット２０ｃの一端は係止部としても機能する連結部３６により相互に連結されている。また、可動リベット２０ｃの他端は、可動リベット２０と同様、胴部より大きな径を有する頭部を備えており、各可動リベット２０ｃの胴部は本体１８の開口に挿通されている。
【００３０】
この実施形態によれば、カーペット掃除具を使用後、連結部３６を本体１８に押しつけることにより、全ての可動リベット２０ｃの頭部を本体１８の裏面から引き離すことができる。こうして、さらに容易に髪の毛等をカーペット掃除具から離脱させることができる。
【００３１】
【発明の効果】
以上説明したように、本発明によれば、可動部の胴部が支持部材により支持され、可動部が胴部の延伸する方向に動くようにしたので、可動部の頭部でカーペットから頭髪等を除去した後、カーペット掃除具から頭髪等を容易に離脱させることができる。
【図面の簡単な説明】
【図１】本発明の実施形態に係るカーペット掃除具を示す斜視図である。
【図２】可動リベットの取付状態を示す断面図である。
【図３】本体取付前の可動リベットを示す斜視図である。
【図４】変形例に係る可動リベットの側面図である。
【図５】変形例に係る可動リベットの取付状態を示す断面図である。
【図６】他の変形例に係る可動リベットの側面図である。
【図７】他の変形例に係る可動リベットの取付状態を示す断面図である。
【図８】変形例に係る本体を開口を中心として示す拡大断面図である。
【図９】変形例に係る本体により可動リベットの支持した状態を示す断面図である。
【図１０】他の変形例に係る本体により可動リベットを支持した状態を示す断面図である。
【図１１】さらに他の変形例に係る可動リベットの取付状態を示す側面図である。
【符号の説明】
１０  カーペット掃除具、１２  柄、１４  把手、１６  取付部、１８，１８ａ，１８ｂ  本体、２０，２０ａ，２０ｂ，２０ｃ  可動リベット、２２，２２ａ，２２ｂ  頭部、２４  係止部、２６，２６ａ，２６ｂ  胴部、２８，２８ａ開口、３０  テーパー部、３２，３４  スペーサ部、３６  連結部材。
【図１】
0003582729.tif 000002
【図２】
0003582729.tif 000003
【図３】
0003582729.tif 000004
【図４】
0003582729.tif 000005
【図５】
0003582729.tif 000006
【図６】
0003582729.tif 000007
【図７】
0003582729.tif 000008
【図８】
0003582729.tif 000009
【図９】
0003582729.tif 000010
【図１０】
0003582729.tif 000011
【図１１】
0003582729.tif 000012